(57)【要約】【課題】従来は方形状の外枠のベルマウス部に配設された複数本の取付け足と、取付け足の集合部に羽根車を回転させる電動機が固定し、取付け足に取り付けた複数の開放部を有するカップ状の保護ガードと、開放部の自由端を跨ぐ連結部材で構成する。よって、構造が複雑である。【構成】本発明は、農畜産用扇の環状枠体の環状方向に適宜間隔をおいて固止した複数の支持杆を、裏面側に向かって膨出形状し、支持杆の集合基端にモータを配備し、モータの出力軸に羽根車を配備し、また支持杆の取付け基端から集合基端に向かって大小でなる複数本の環状ガード杆を適宜間隔で設ける構成である。【選択図】図１
2007192039.tif 000002
【特許請求の範囲】
【請求項１】
前面側を備えた環状枠体の裏面側に羽根車と、この羽根車を駆動するモータを配備した換気扇、送風扇、撹拌扇等の農畜産用扇であって、
この環状枠体の環状方向に適宜間隔をおいて固止した取付け基端を有する複数の支持杆を、前記裏面側に向かって膨出形状し、この支持杆の集合基端に前記モータを配備し、このモータの出力軸に前記羽根車を配備し、またこの支持杆の取付け基端から集合基端に向かって大小でなる複数本の環状ガード杆を適宜間隔で設ける構成とした換気扇、送風扇、撹拌扇等の農畜産用扇。
【請求項２】
請求項１に記載の羽根車は、前面側を開放した環状枠体に設けられる構成であって、この羽根車は前記前面側の内側に位置し、ハウス、畜舎、工場等の建屋の壁面に取付け可能とする構成とした換気扇、送風扇、撹拌扇等の農畜産用扇。
【請求項３】
請求項１に記載の支持杆と、環状ガード杆との間に空気の流通を許し、かつこの支持杆及び／又は環状ガード杆が整流手段として機能する構成とした換気扇、送風扇、撹拌扇等の農畜産用扇。
【請求項４】
請求項１に記載の環状枠体が環状帯体でなる構成とした換気扇、送風扇、撹拌扇等の農畜産用扇。
【請求項５】
請求項１に記載の支持杆は、略水平の裏面側膨出部と、この裏面側膨出部から略垂直に収斂した垂直収斂部とで構成とした換気扇、送風扇、撹拌扇等の農畜産用扇。
【請求項６】
請求項１に記載の支持杆に取付け片を複数個設け、この取付け片を介して換気扇、送風扇、撹拌扇等の農畜産用扇を支持及び／又は取付け可能とする構成とした換気扇、送風扇、撹拌扇等の農畜産用扇。
【請求項７】
請求項６に記載の取付け片を略対峙関係に設け、この取付け片を利用して換気扇、送風扇、撹拌扇等の農畜産用扇の吹出し方向を変更可能とする構成とした換気扇、送風扇、撹拌扇等の農畜産用扇。
【請求項８】
請求項２に記載の前面側を開放した環状枠体を、直接ハウス、畜舎、工場等の建屋の壁面に取付け可能とする構成とした換気扇、送風扇、撹拌扇等の農畜産用扇。
【発明の詳細な説明】
【技術分野】
【０００１】
この発明は、壁面、又は建屋内等に設置される、望ましくは、直接ハウス、畜舎、工場等の建屋の壁面に取付け可能とするとともに、騒音の発生がない軽量形の換気扇、送風扇、撹拌扇等の農畜産用扇（農事用扇、畜産用扇、海苔小屋用扇、工場用扇を総称する）に関する。
【背景技術】
【０００２】
従来、この種の農畜産用扇（換気扇とする）は、環状枠体、ベルマウス、ドラム等のリング形状のケーシング（環状枠体とする）と、この環状枠体の裏面側に膨出形成した支持杆（換気扇枠体）と、この支持杆に設けた駆動部（モータ）と、このモータで回転する羽根車と、必要により設けられる開放した前面側に設けたガードで構成し、この枠体の内周側（内側）に僅かな隙間を設けて羽根車の先端部を配設する構造である。従って、換気扇の裏面側より支持杆の隙間（空間）より直接空気（内気を含む）を吸込む構成であるので、この吸込み空気は、直接、羽根車と接触するとともに、この吸込み空気を羽根車で略全て受止め、かつ当該吸込み空気をカットする状態となる。このような状態では、当然、騒音（風切り音、振動音、共振音等による騒音）が発生し、周辺への騒音問題と、環境破壊の問題、或いは作業環境の悪化等の改良点が考えられる。
【０００３】
殊に、本出願人が、平成１５年１月に提案し、かつ製造した「換気扇、送風扇、撹拌扇等の農畜産用扇」に関する新たな要望も一部で見聞されている。
【０００４】
一方、この種の換気扇で、騒音とガードに関する先行文献としては、特開平８−３１９９８８号の「換気扇」が挙げられる（文献（１）とする）。この発明の要旨は、方形状の外枠のベルマウス部（ダクト部）の周方向に分割するように配設された複数本の取付け足と、この取付け足の集合部に羽根車を回転させる電動機が固定し、ベルマウス部の電動機側が取付け足に取り付けられた線材よりなるカップ状の保護ガードと、この保護ガードの外周部に、各取付け足の基部側をそれぞれ逃がすための複数の開放部を設け、この開放部の自由端（基部側）を跨ぐように連繋して設けた連結部材で構成する。この構成により、従来の保護ガードを配備し、かつこの保護ガードに取付け足用の開放部を有する構成で生ずる弊害、即ち、この保護ガードの形状変形と、インバータ等による駆動により使用場所に応じた換気風量を得るように運転する状況下における保護ガードの開放部において振動音や共振音の発生回避とが図れ、また運転騒音が高くなるといった問題点を解消できる。
【０００５】
【特許文献１】特開平８−３１９９８８号
【発明の開示】
【発明が解決しようとする課題】
【０００６】
前述の文献（１）は、取付け足用の開放部を有する保護ガードに纏わる形状変形と、保護ガードの開放部において振動音や共振音の発生回避と、又は運転騒音が高くなるといった問題点を解消であり、従来の特定の保護ガードで発生する弊害を解消することに留まる。従って、全ての換気扇の保護ガードに対応する構成とは考えられない。またこの発明は、取付け足の開放部により発生する振動音や共振音の発生回避と、又は運転騒音が高くなるといった問題点の解消を意図することから、一部の改良に留まっている。
【０００７】
従って、本発明は下記のような特性を発揮できる換気扇の構造を提供することを意図する。
【０００８】
イ）  先ず、本発明は、羽根車と吸込み空気の直接な接触をスムーズとし、またこの吸込み空気を後述する隙間で分散して羽根車で受止め、かつ当該吸込み空気を羽根車によるカットで発生する騒音（風切り音、振動音、共振音等による騒音）を低下し、周辺への騒音問題と、環境破壊の問題、或いは作業環境の悪化等の改良を図ることを意図する。
【０００９】
ロ）  次に、本発明は、羽根車への吸込み空気の流入を、支持杆と、この支持杆に複数設けた複数本の環状ガード杆で整流し、この吸込み空気で発生する騒音の回避、又は吸込み、送風等の面におけるロスと、圧損等の発生を回避することを意図する。
【００１０】
ハ）  そして、本発明は、空気の流れを、換気扇の吸込み側から吐出側に向かって、自由かつスムーズにすること、この自由かつスムーズな流れを確保することで、効率的な換気を図ること等を意図する。
【００１１】
ニ）  さらに本発明は、環状枠体を、支持杆と、この支持杆に複数設けた複数本の環状ガード杆で補強する構成を採用することで、軽量化と、強度の向上を図り、強度の弱い建屋に装着可能とすること、また負担の軽減化を図ること等を意図する。そして、この環状ガード杆を適宜間隔で設けることで、前記強度と耐久性の向上を図ることも意図する。
【００１２】
ホ）  また本発明は、環状枠体を、支持杆と、この支持杆に複数設けた複数本の環状ガード杆で構成し、この支持杆及び／又は環状ガード杆の間に適宜間隔の隙間を形成することで、流体力学的に抵抗を少なくすること、又は前述の軽量化及び／又は吸込み空気の流れを確保し、騒音の発生を軽減（デシベルの低下）を達成すること等を意図する。
【課題を解決するための手段】
【００１３】
請求項１の発明は、前述のイ）〜ホ）の目的を達成することを意図する。
【００１４】
請求項１は、前面側を備えた環状枠体の裏面側に羽根車と、この羽根車を駆動するモータを配備した換気扇、送風扇、撹拌扇等の農畜産用扇であって、
この環状枠体の環状方向に適宜間隔をおいて固止した取付け基端を有する複数の支持杆を、前記裏面側に向かって膨出形状し、この支持杆の集合基端に前記モータを配備し、このモータの出力軸に前記羽根車を配備し、またこの支持杆の取付け基端から集合基端に向かって大小でなる複数本の環状ガード杆を適宜間隔で設ける構成とした換気扇、送風扇、撹拌扇等の農畜産用扇である。
【００１５】
請求項２の発明は、請求項１の目的を達成すること、この目的を達成するのに最適な羽根車と環状枠体の関係を提供することを意図する。
【００１６】
請求項２は、請求項１に記載の羽根車は、前面側を開放した環状枠体に設けられる構成であって、この羽根車は前記前面側の内側に位置し、ハウス、畜舎、工場等の建屋の壁面に取付け可能とする構成とした換気扇、送風扇、撹拌扇等の農畜産用扇である。
【００１７】
請求項３の発明は、請求項１の目的を達成すること、この目的を達成するのに最適な支持杆と環状ガード杆の関係を提供することを意図する。
【００１８】
請求項３は、請求項１に記載の支持杆と、環状ガード杆との間に空気の流通を許し、かつこの支持杆及び／又は環状ガード杆が整流手段として機能する構成とした換気扇、送風扇、撹拌扇等の農畜産用扇である。
【００１９】
請求項４の発明は、請求項１の目的を達成すること、この目的を達成するのに最適な環状枠体を提供することを意図する。
【００２０】
請求項４は、請求項１に記載の環状枠体が環状帯体でなる構成とした換気扇、送風扇、撹拌扇等の農畜産用扇である。
【００２１】
請求項５の発明は、請求項１の目的を達成すること、この目的を達成するのに最適な支持杆を提供することを意図する。
【００２２】
請求項５は、請求項１に記載の支持杆は、略水平の裏面側膨出部と、この裏面側膨出部から略垂直に収斂した垂直収斂部とで構成とした換気扇、送風扇、撹拌扇等の農畜産用扇である。
【００２３】
請求項６の発明は、請求項１の目的を達成すること、この目的を達成するのに最適な支持杆に設けた取付け片を提供することを意図する。
【００２４】
請求項６は、請求項１に記載の支持杆に取付け片を複数個設け、この取付け片を介して換気扇、送風扇、撹拌扇等の農畜産用扇を支持及び／又は取付け可能とする構成とした換気扇、送風扇、撹拌扇等の農畜産用扇である。
【００２５】
請求項７の発明は、請求項６の目的を達成すること、この目的を達成するのに最適な取付け片の位置構造を提供することを意図する。
【００２６】
請求項７は、請求項６に記載の取付け片を対峙関係に設け、この取付け片を利用して換気扇、送風扇、撹拌扇等の農畜産用扇の吹出し方向を変更可能とする構成とした換気扇、送風扇、撹拌扇等の農畜産用扇である。
【００２７】
請求項８の発明は、請求項１の目的を達成すること、この目的を達成するのに最適な環状枠体を提供することを意図する。
【００２８】
請求項８は、請求項２に記載の前面側を開放した環状枠体を、直接ハウス、畜舎、工場等の建屋の壁面に取付け可能とする構成とした換気扇、送風扇、撹拌扇等の農畜産用扇である。
【発明の効果】
【００２９】
請求項１の発明は、前面側を備えた環状枠体の裏面側に羽根車と、羽根車を駆動するモータを配備した換気扇、送風扇、撹拌扇等の農畜産用扇であって、
環状枠体の環状方向に適宜間隔をおいて固止した取付け基端を有する複数の支持杆を、裏面側に向かって膨出形状し、支持杆の集合基端にモータを配備し、モータの出力軸に羽根車を配備し、また支持杆の取付け基端から集合基端に向かって大小でなる複数本の環状ガード杆を適宜間隔で設ける換気扇、送風扇、撹拌扇等の農畜産用扇である。
【００３０】
従って、請求項１は、下記の効果が発揮できる特徴がある。
【００３１】
イ）  先ず、本発明は、羽根車と吸込み空気の直接な接触をスムーズとし、またこの吸込み空気を後述する隙間で分散して羽根車で受止め、かつ当該吸込み空気を羽根車によるカットで発生する騒音（風切り音、振動音、共振音等による騒音）を低下し、周辺への騒音問題と、環境破壊の問題、或いは作業環境の悪化等を改善できる。
【００３２】
ロ）  次に、本発明は、羽根車への吸込み空気の流入を、支持杆と、この支持杆に複数設けた複数本の環状ガード杆で整流し、この吸込み空気で発生する騒音の回避、又は吸込み、送風等の面におけるロスと、圧損等の発生を回避できる。
【００３３】
ハ）  そして、本発明は、空気の流れを、換気扇の吸込み側から吐出側に向かって、自由かつスムーズにできること、この自由かつスムーズな流れを確保できるので、効率的な換気が図れること等を達成できる。
【００３４】
ニ）  さらに本発明は、環状枠体を、支持杆と、この支持杆に複数設けた複数本の環状ガード杆で補強する構成を採用することで、軽量化と、強度の向上を図り、強度の弱い建屋に装着可能となること、また負担の軽減化が図れること等を可能とした。そして、この環状ガード杆を適宜間隔で設けることで、前記強度と耐久性の向上が図れる。
【００３５】
ホ）  また本発明は、環状枠体を、支持杆と、この支持杆に複数設けた複数本の環状ガード杆で構成し、この支持杆及び／又は環状ガード杆の間に適宜間隔の隙間を形成することで、流体力学的に抵抗を少なくできること、又は前述の軽量化及び／又は吸込み空気の流れを確保し、騒音の発生を軽減（デシベルの低下）を達成できること等を可能とした。
【００３６】
請求項２の発明は、請求項１に記載の羽根車は、前面側を開放した環状枠体に設けられる構成であって、羽根車は前記前面側の内側に位置し、ハウス、畜舎、工場等の建屋の壁面に取付け可能とする換気扇、送風扇、撹拌扇等の農畜産用扇である。
【００３７】
従って、請求項２は、請求項１の目的を達成できること、この目的を達成するのに最適な羽根車と環状枠体の関係を提供できること等の特徴を有する。
【００３８】
請求項３の発明は、請求項１に記載の支持杆と、環状ガード杆との間に空気の流通を許し、かつ支持杆及び／又は環状ガード杆が整流手段として機能する換気扇、送風扇、撹拌扇等の農畜産用扇である。
【００３９】
従って、請求項３は、請求項１の目的を達成できること、この目的を達成するのに最適な支持杆と環状ガード杆の関係を提供できること等の特徴を有する。
【００４０】
請求項４の発明は、請求項１に記載の環状枠体が環状帯体でなる換気扇、送風扇、撹拌扇等の農畜産用扇である。
【００４１】
従って、請求項４は、請求項１の目的を達成できること、この目的を達成するのに最適な環状枠体を提供できること等の特徴を有する。
【００４２】
請求項５の発明は、請求項１に記載の支持杆は、略水平の裏面側膨出部と、裏面側膨出部から略垂直に収斂した垂直収斂部とした換気扇、送風扇、撹拌扇等の農畜産用扇である。
【００４３】
従って、請求項５は、請求項１の目的を達成できること、この目的を達成するのに最適な支持杆を提供できること等の特徴を有する。
【００４４】
請求項６の発明は、請求項１に記載の支持杆に取付け片を複数個設け、取付け片を介して換気扇、送風扇、撹拌扇等の農畜産用扇を支持及び／又は取付け可能とする構成とした換気扇、送風扇、撹拌扇等の農畜産用扇である。
【００４５】
従って、請求項６は、請求項１の目的を達成できること、この目的を達成するのに最適な支持杆に設けた取付け片を提供できること等の特徴を有する。
【００４６】
請求項７の発明は、請求項６に記載の取付け片を略対峙関係に設け、取付け片を利用して換気扇、送風扇、撹拌扇等の農畜産用扇の吹出し方向を変更可能とする構成とした換気扇、送風扇、撹拌扇等の農畜産用扇である。
【００４７】
従って、請求項７は、請求項６の目的を達成できること、この目的を達成するのに最適な取付け片の位置構造を提供できること等の特徴を有する。
【００４８】
請求項８の発明は、請求項２に記載の前面側を開放した環状枠体を、直接ハウス、畜舎、工場等の建屋の壁面に取付け可能とする換気扇、送風扇、撹拌扇等の農畜産用扇である。
【００４９】
従って、請求項８は、請求項１の目的を達成できること、この目的を達成するのに最適な環状枠体を提供できること等の特徴を有する。
【発明を実施するための最良の形態】
【００５０】
本発明の実施の形態を説明する。
【００５１】
１は換気扇で、この換気扇１は、板材、パイプ素材でなる環状枠体２と、この環状枠体２の環状方向（矢印「イ」）に適宜間隔Ａをおいて複数本設けたパイプ素材でなる支持杆３、３等（３とする）と、そして、この支持杆３は取付け側が略水平の裏面側膨出部３ａとし、またその集合側が、この裏面側膨出部３ａから略垂直に収斂した垂直収斂部３ｂとした構成であって、側面視して略Ｌ字形を呈する。尚、この垂直は、本発明の換気扇を建屋の上下方向に設置した例を説明しており、一実施例であり限定されない。
【００５２】
４は大小でなる環状ガード杆で、この環状ガード杆４を前記支持杆３の取付け基端３０からフック形状の集合基端３１に向かって適宜間隔Ｂで設け、図示の如く、その取付け基端３０から集合基端３１に向かって大径から順次小径となるように設ける。そして、この環状ガード杆４はパイプ素材で構成し、図示の如く、複数本である。
【００５３】
以上で説明した如く、少なくともこの支持杆３及び／又は環状ガード杆４をパイプ素材で構成し、そして、この支持杆３及び／又は環状ガード杆４間に間隔Ａ及び／又はＢを形成することで、少なくとも前述のイ）〜ホ）の効果が図れる。
【００５４】
図中５は支持杆３の集合基端３１が係止されるピン５０を備えたモータで、このモータ５の出力軸５１に羽根車６を配備する。
【００５５】
そして、前記支持杆３の適所に複数個の取付け片７を設ける。そして、望ましくは、この換気扇１の重心位置Ｗに設け、この取付け片７を支持することで、換気扇１を安定して吊上げ支持及び／又は建屋の壁面に設置できる構成である。またこの取付け片７を略対峙方向（対峙関係を含む）に設け、図６に示すように旋回可能とし、吹出し方向の可変と、取付け状態を可変すること等が可能となり汎用性の向上及び／又は使用態様が確保できること、また風の吹出し方向の変更を利用して作物及び／又は環境の状態を確保できること等の利点がある。図中７０は取付け片７に設けた孔を示す。
【００５６】
このような構成を採用する換気扇１の風の動きを説明すると、羽根車６の回転で、裏面側Ｃの裏面部Ｃ１より室内の空気を吸込む。そして、この吸込まれた空気は、裏面側Ｃに設けた支持杆３の垂直収斂部３ｂ及び／又は環状ガード杆４で整流されるようにして、この支持杆３及び／又は環状ガード杆４間に形成した間隔Ａ及び／又は間隔Ｂを介して羽根車６に導かれる。この羽根車６は、吸込んだ空気を掬い取るような動きをし、羽根車６による吸込み空気のカット及び／又は構成部材の振動等により発生する騒音を回避できる特徴がある。そして、このような吸込み空気の動きは、換気扇１の裏面側Ｃの環状周辺部Ｄより吸込まれた空気は、この裏面側Ｃに設けた支持杆３の裏面側膨出部３ａ及び／又は環状ガード杆４で整流されるようにして、この支持杆３及び／又は環状ガード杆４間に形成した間隔Ａ及び／又は間隔Ｂを介して羽根車６に導かれる。この羽根車６は、吸込んだ空気を誘導するような動きをし、羽根車６による吸込み空気のカット及び／又は構成部材の振動等により発生する騒音を回避できる特徴がある。この吸込まれた空気は、換気扇の前面側Ｅより外部に排気される。そして、風の吹出し方向の変更による特徴は前述の通りである。
【００５７】
そして、本発明の換気扇１は、図７の如く、換気扇１を豚舎Ｈ（一例である）の柱Ｈ１に設置した側面模式図の使用とか、図８の如く、換気扇１を豚舎Ｈの梁Ｈ２に設置した俯瞰模式図の使用が可能である。このような設置を介して豚舎Ｈの矢印「ロ」の方向に吹出す（送風する）構成であり、この豚舎Ｈの飼育環境及び／又は全ての豚の健康管理の向上等を図る。
【図面の簡単な説明】
【００５８】
【図１】本発明の正面斜視図
【図２】本発明の正面図
【図３】発明の側面図
【図４】本発明の裏面図
【図５】本発明の支持杆とモータに設けたピンとの関係を示した拡大裏面図
【図６】本発明の換気扇の取付け状態を示した俯瞰模式図
【図７】本発明の換気扇を豚舎の柱に設置した一例を説明する側面模式図
【図８】本発明の換気扇を豚舎の梁に設置した一例を説明する俯瞰模式図
【図９】従来の一例を示す正面図
【図１０】従来の一例を示す裏面図
【符号の説明】
【００５９】
１          換気扇
２          環状枠体
３          支持杆
３ａ        裏面側膨出部
３ｂ        垂直収斂部
３０        取付け基端
３１        集合基端
４          環状ガード杆
５          モータ
５０        ピン
５１        出力軸
６          羽根車
７          取付け片
７０        孔
Ａ          間隔
Ｂ          間隔
Ｃ          裏面側
Ｃ１        裏面部
Ｄ          環状周辺部
Ｅ          前面側
Ｗ          重心位置
Ｈ          豚舎
Ｈ１        柱
Ｈ２        梁
【図１】
2007192039.tif 000003
【図２】
2007192039.tif 000004
【図３】
2007192039.tif 000005
【図４】
2007192039.tif 000006
【図５】
2007192039.tif 000007
【図６】
2007192039.tif 000008
【図７】
2007192039.tif 000009
【図８】
2007192039.tif 000010
【図９】
2007192039.tif 000011
【図１０】
2007192039.tif 000012